(57)【要約】【課題】奥行きと深みを感じさせる色彩及び絵柄を有する加飾フィルム及び加飾筐体を提供する。【解決手段】筐体本体４の表面に、透明又は半透明の複数の薄膜１−１〜１−ｎが積層された積層体１を有し、上下に隣接する前記薄膜１−１〜１−ｎの屈折率が互いに異なり、かつ、前記積層体１を構成する各前記薄膜１−１〜１−ｎの屈折率又は厚さがランダムに選択されている加飾筐体として構成する。見る角度が僅かに変化しても、各薄膜１−１〜１−ｎからの反射光量がランダムに変化するので、色彩又は絵柄に奥行きと深みを感じさせる。【選択図】図１
2011005682.tif 000002
【特許請求の範囲】
【請求項１】
筐体本体の表面に、透明又は半透明の複数の薄膜が積層された積層体を有し、
上下に隣接する前記薄膜の屈折率が互いに異なり、かつ、前記積層体を構成する各前記薄膜の屈折率又は厚さがランダムに選択されていることを特徴とする加飾筐体。
【請求項２】
前記積層体を構成する各前記薄膜の光透過率がランダムに選択されていることを特徴とする請求項１記載の加飾筐体。
【請求項３】
上下に隣接する前記薄膜が形成する積層界面に絵柄が設けられ、
上方から前記積層体へ入射した入射光が前記絵柄から反射される反射光の強度が、前記絵柄の外側に延在する前記積層界面で反射される反射光の強度より弱いことを特徴とする請求項１又は２記載の加飾筐体。
【請求項４】
前記積層体の最下層をなす前記薄膜の下面に、上方から前記積層体へ入射する入射光を反射する鏡面層を設けたことを特徴とする請求項１、２又は３記載の加飾筐体。
【請求項５】
透明又は半透明の複数の薄膜が積層された積層体を有する加飾フィルムにおいて、
上下に隣接する前記薄膜の屈折率は互いに異なり、かつ、前記積層体を構成する各前記薄膜の屈折率若しくは厚さがランダムに選択されていることを特徴とする加飾フィルム。
【請求項６】
透明又は半透明の複数の薄膜が積層された積層体を筐体本体の表面に有する電子機器であって、
上下に隣接する前記薄膜の屈折率が互いに異なり、かつ、前記積層体を構成する各前記薄膜の屈折率又は厚さがランダムに選択されていることを特徴とする電子機器。
【発明の詳細な説明】
【技術分野】
【０００１】
本発明は携帯電話及びパーソナルコンピュータ等の電子機器の筐体表面に設けられて加飾する加飾フィルム、かかる加飾フィルムにより加飾された加飾筐体、及びかかる加飾筐体を有する電子機器に関し、とくに、色彩及び絵柄に深みと奥行きとを感じさせる加飾フィルム、加飾筐体及び電子機器に関する。
【背景技術】
【０００２】
電子機器の筐体、例えば携帯電話やパーソナルコンピュータの筐体には、剛性及び量産性に加えて、優れた意匠性が要求される。このため、筐体表面に光沢、色彩又は絵柄を付与する加飾処理が施される。
【０００３】
加飾は、通常は塗装によりなされる。しかし、塗装は筐体表面を広範に単一色に彩色するには適するものの、絵柄を描くのは難しい。とくに、凹凸を有する筐体の表面に、塗装により絵柄を形成することは容易ではない。また、塗装は溶剤を用いるために、ＶＯＣ（揮発性有機化合物）が排出され環境負荷が大きい。
【０００４】
加飾フィルムはベースフィルム上に透明又は半透明の薄膜と、絵柄が印刷された薄膜とを複数層積層したフィルムからなり、この加飾フィルムで筐体表面を被覆することにより、加飾筐体の表面に色彩と絵柄とを容易に付与することができる。さらに、この加飾方法は、溶剤を必要としないので環境負荷も少ない。
【０００５】
しかし、加飾フィルムの色彩及び絵柄は、例えばシルク印刷やグラビア印刷のようなインクを用いた印刷により形成されるため、色彩及び絵柄が平坦でかつ光沢及び奥行きがなく深みが感じられない。
【０００６】
屈折率の異なる２種の透明フィルムを多数層積層して、光干渉により虹彩色を呈する加飾フィルムが知られている（例えば特許文献１参照。）。また、真空蒸着を用いて筐体表面に、例えば金属酸化物からなる高屈折率層と、例えば金属又は金属フッ化物からなる低屈折率層とを交互に数層積層した筐体加飾用の光学薄膜積層体が知られている。この光学薄膜積層体は、各層内の光干渉により所望の色彩を呈する（例えば特許文献２参照。）。
【０００７】
これらの加飾フィルム及び光学薄膜積層体では、干渉により所定の色彩を得ている。このため、各層の屈折率及び厚さは、所定の光学的厚さになるように定められる。
【先行技術文献】
【特許文献】
【０００８】
【特許文献１】特開２００６−２１６４９３号公報
【特許文献２】特開２００９−０９２９１３号公報
【発明の概要】
【発明が解決しようとする課題】
【０００９】
上述したように、塗装による加飾では、色彩及び絵柄がインクにより彩色された平坦な図形となるため、光沢及び奥行きのある深みを感じさせる装飾を施すことは難しい。
【００１０】
また、従来のフィルム又は蒸着膜を積層した加飾フィルム及び光学薄膜積層体では、所望の干渉色を呈するように、各積層の膜厚及び屈折率を所定の厚さに選定する必要がある。このため、見る方向又は角度が変わっても色彩及び絵柄の変化が滑らかで、色彩又は絵柄に奥行と深みとを感じさせない。
【００１１】
本発明は、色彩又は絵柄に深みと奥行きとを感じさせる意匠が施された加飾フィルム及び加飾筐体の提供を目的とする。
【課題を解決するための手段】
【００１２】
上記課題を解決するための本発明の加飾筐体は、筐体本体の表面に、透明又は半透明の複数の薄膜が積層された積層体を有し、上下に隣接する前記薄膜の屈折率が互いに異なり、かつ、前記積層体を構成する各前記薄膜の屈折率又は厚さがランダムに選択されていることを特徴として構成する。
【発明の効果】
【００１３】
本発明の加飾筐体では、積層体を構成する各薄膜の屈折率又は厚さがランダムに選択されており、薄膜ごとに反射率及び屈折角がランダムに変化する。そのため、筐体表面を見る角度又は方向が変化すると、各薄膜からの反射強度が積層体の深さにより異なる変化をし、その変化がランダムに見えるので、色彩及び模様に奥行きと深みとを感じさせる。
【図面の簡単な説明】
【００１４】
【図１】本発明の第１実施形態の加飾筐体断面図
【図２】本発明の第２実施形態の加飾筐体断面図
【図３】本発明の第３実施形態の加飾筐体断面図
【図４】本発明の第４実施形態の加飾筐体断面図
【発明を実施するための形態】
【００１５】
本発明の第１実施形態は、積層体を構成する薄膜の屈折率がランダムに選択された加飾筐体に関する。
【００１６】
図１は本発明の第１実施形態の加飾筐体断面図であり、筐体本体１の表面に設けられた加飾フィルム１０の積層構造を表している。
【００１７】
図１を参照して、本第１実施形態では、ＰＣ−ＡＢＳ樹脂（ポリカーボネイト−ＡＢＳ樹脂）を基材とするノートパソコンの筐体本体４の表面に、加飾フィルム１０が密着して設けられている。この筐体本体４表面に加飾フィルム１０が設けられた加飾筐体２０は、例えば、予め作製された加飾フィルム１０をセットした金型に樹脂を射出成形するフィルムインサートにより製造することができる。あるいは、予め加飾フィルム１０と筐体本体１を作製しておき、真空圧空成形により筐体本体１表面に加飾フィルム１０を密着させ被覆することで製造することもできる。なお、筐体本体１は他の樹脂、たとえばフォイバー強化樹脂で形成されてもよく、また、樹脂以外の材料、例えば金属材料で形成されてもよい。
【００１８】
本第１実施形態の加飾フィルム１０は、透明または不透明の樹脂フィルムからなるｎ層の薄膜１−１〜１−ｎが積層された積層体１を有する。積層体１は、積層体１の最下層の薄膜１−ｎをベースフィルムとして、このベースフィルム１−ｎ上にｎ−１層の薄膜１−１〜１−ｎ−１が積層されている。ベースフィルム１−ｎの下面には、鏡面層２及び接着層３がこの順に設けられる。なお、ベースフィルムは積層体１の最下面を構成する薄膜１−ｎであり、従って、ベースフィルム１−ｎは、薄膜１−１〜１−ｎ−１と共に、ｎ層の薄膜１−１〜１−ｎからなる積層体１を構成している。
【００１９】
ベースフィルム１−ｎ（薄膜１−ｎ）を含めて薄膜１−１〜１−ｎは、ＰＥＴ（ポリエチレンテレフタレート）樹脂、ＰＣ（ポリカーボネイト）樹脂及びＰＭＭＡ（ポリメタクリル酸メチル）樹脂又はこれらのポリマーアロイからなり、それぞれの薄膜１−１〜１−ｎごとに固有の屈折率を有するように樹脂の種類又はポリマーアロイの組成が調整されている。なお、ベースフィルム１−ｎは、屈折率にこだわらず機械的強度及び加工性に優れた樹脂、例えばＰＥＴ樹脂を用いることが好ましい。また、薄膜１−１〜１−ｎを構成する樹脂フィルムは、これらの樹脂に限られず、例えは屈折率１．４近傍の小さな屈折率の樹脂と、屈折率３近傍の大きな屈折率の樹脂とを含む２種以上の樹脂及びこれらのポリマーアロイを用いることが、屈折率の違いを広範に分散させるために好ましい。もちろん、単体の樹脂のみで屈折率を広範に分散することができるならは、ポリマーアロイを用いずに単体の樹脂で個性してもよい。
【００２０】
各薄膜１−１〜１−ｎの屈折率は、積層方向にランダムに分布するように配置される。この配置方法として、例えば、使用する樹脂フィルムが有する最大屈折率と最小屈折率との間を、Ｎ個の屈折率に等分する。そして、等分されたＮ個の屈折率をランダムに並べ替え、この並べ替えた屈折率を、積層体１の最上面の薄膜１−１から最下面から一つ上の薄膜１−ｎ−１に至るまで順に付与する。次いで、各薄膜が付与された屈折率を有するポリマーアロイ又は樹脂を選択し、これらのポリマーアロイ又は樹脂からなるフィルムにより薄膜１−１〜１−ｎ−１を構成する。これにより、各薄膜１−１〜１−ｎ−１の屈折率がランダムに選択された、即ち、隣接する薄膜１−１〜１−ｎ−１の屈折率がランダムに変化する積層体１が製造される。
【００２１】
色彩に深みと奥行きを付与するためには、積層体１の層数ｎを多くすることが好ましく、積層体１の層数ｎを１００層以上、より好ましくは２００層以上とすることが望ましい。しかし、積層数が多過ぎると積層体１が厚くなり加工性が劣化する他、光の減衰が大きくなるため層数の増加が加飾効果に寄与しなくなる。このため、例えば積層体１の層数ｎを４００層以下とすることが好ましい。もちろん、積層体１の光透過率が高ければ、より多層の積層体１を用いてより大きな深みと奥行きを付与することができる。なお、本第１実施形態では、各薄膜１−１〜１−ｎの厚さは、互いに異なっていてもよく、また同一であってもよい。
【００２２】
積層体１の厚さは、加飾フィルム１０の製造の容易性及び筐体への被覆性の観点から、３００μｍ以下とすることが好ましい。本第１実施形態では、積層体１の厚さを２００μｍとした。このように、厚さ２００μｍの積層体１に２００層以上の薄膜を積層するためには、薄膜１−１〜１−ｎの厚さを１μｍ〜０．１μｍとすることが望ましい。なお、本発明では特定の薄膜が所望の干渉色を呈する必要はないので、厚さ及び屈折率を精密に制御する必要はない。
【００２３】
積層体１の下面（即ち、ベースフィルム１−ｎの下面）に、鏡面層２が形成されている。鏡面層２は、鏡面層２上面での反射率が高い材料が好ましく、例えば金属蒸着膜が用いられる。さらに、鏡面層２の下面に、接着層３が設けられる。接着層３は、フィルムインサートにより筐体本体４を形成する際、筐体本体４の表面に積層体１及び鏡面層を接着するために設けられる。同様に、、真空圧空成形により成形された筐体本体４の表面に積層体１及び鏡面層２を被覆させる際、筐体本体４の表面に積層体１及び鏡面層２を密着させるために設けられる。
【００２４】
上述した加飾筐体２０は、以下のようにして製造することができる。
【００２５】
まず、ベースフィルム１−ｎの２０〜３０倍の厚さを有する樹脂フィルム上に、同じく各薄膜１−１〜１−ｎ−１の２０〜３０倍の厚さを有する樹脂フィルムを積層した積層樹脂フィルムを形成する。このとき、樹脂フィルムの厚さの比及び屈折率は、薄膜１−１〜１−ｎの厚さの比及び屈折率と等しくする。
【００２６】
次いで、この積層樹脂フィルムを厚さが２０〜３０分の１になるまで伸延して、ラミネート成形された薄膜１−１〜１−ｎからなる積層体１を形成する。ついで、積層体１の下面に鏡面層２及び接着層３を順次形成して、加飾フィルム１０が製造される。
【００２７】
次いで、加飾フィルム１０を金型にセットして樹脂を射出形成するフィルムインサートを用いて、表面に加飾フィルム１０が接着した加飾筐体２０を製造する。ほかに、真空空圧成形により、予め射出成形された筐体本体４の表面を被覆するように加飾フィルム１０を接着することで、加飾筐体２０を製造してもよい。
【００２８】
次に、本第１実施形態の加飾筐体の意匠について説明する。
【００２９】
図１を参照して、斜め上面から積層体１表面に入射した入射光１１は、積層体１を構成する薄膜１−１〜１−ｎ中を屈折して進行方向を変えながら進行する。そして、その進行する入射光１１の一部は、各薄膜１−１〜１−ｎの界面（最上層及び最下層の薄膜１−１、１−ｎではそれぞれ上面及び下面）で反射される。この各薄膜１−１〜１−ｎで反射された光は合波して、積層体１からの反射光１２として出射し視認される。このように、視認される反射光１２は、入射地点が異なる入射光１１−０〜１１−ｎが、それぞれ薄膜１−０〜１−ｎの上面及び薄膜１−ｎの下面で反射（多重反射を含む）された反射光が合波されて形成される。なお、図１では、入射光１１−ｎの積層体１中の光路を省略して図示している。
【００３０】
ｎ層の各薄膜１−０〜１−ｎ上面の反射率は、その上面を挟む物質の屈折率の差及びその上面への入射角に依存する。本第１実施形態では各薄膜１−１〜１−ｎの屈折率がランダムに選択されている。そのため、同一方向から入射光１１が入射しても、各薄膜１−０〜１−ｎでの屈折角が違がうため、各薄膜１−０〜１−ｎ上面への入射角が、各薄膜１−０〜１−ｎごとにランダムに変化する。また、各薄膜１−０〜１−ｎの上面を挟む上下の薄膜の屈折率が、各薄膜１−０〜１−ｎの上面ごとにランダムに変化する。このため、各薄膜１−０〜１−ｎの上面の反射率は、各薄膜１−０〜１−ｎごとに、言い換えれば深さ方向にランダムに異なるものとなる。
【００３１】
さらに、各薄膜１−０〜１−ｎ上面の反射率は、積層体１表面に入射する入射光１の入射角（即ち反射光１２の反射角）の僅かな変化により大きく変化する。このため、各薄膜１−０〜１−ｎ上面からの反射光の光量も見る角度により大きく変化する。その結果、見る角度の僅かな変動が各薄膜１−０〜１−ｎ上面の反射光量のランダムな変動を引き起こし、見る者に、多層の反射面が上下にランダムに飛び移るような感じを与えるので、積層体１中の色彩に奥行きを感じさせる。また、各薄膜１−０〜１−ｎ上面からの反射光のスペクトルも入射角の僅かな変動により大きく変化する。このため、見る角度の僅かな変化が、反射光１２のスペクトルのランダムな複雑な変化を引き起こすので、奥行き感とあいまって見る者に色彩の深みを感じさせる。
【００３２】
第１実施形態の薄膜１−１〜１−ｎは、無色透明であっても、また透明色を有するものでもよい。薄膜１−１〜１−ｎの一つ又は複数を着色することで、反射光量のみならず色調も飛び移るように変化する感じを与え、色彩の深みをより感じさせる。
【００３３】
さらに、薄膜１−１〜１−ｎの光透過率を、例えばランダムになるように設定してもよい。薄膜１−１〜１−ｎの光透過率が異なると、反射光の光量の変動がより大きくなるので、奥行きをより強く感じさせることができる。また、薄膜１−１〜１−ｎ中に屈折率の異なる物質からなる微粒子あるいは反射率の高い微粒子例えば金属フレークを混入してもよい。これらの微粒子の混入により、乱反射を多くして光沢と色彩の深みを増すことができる。
【００３４】
本第１実施形態では、さらに積層体１下面に鏡面層２が設けられる。鏡面層２は、薄膜１−ｎ（ベースフィルム）の下面を高反射率の界面とするために設けられる。このように薄膜１−ｎの下面を高反射率とすることで、金属表面のようなギラポラとした輝く感じを付与することができる。なお、必要がなければ、鏡面層２を設けなくてもよい。
【００３５】
本発明の第２実施形態は、積層体を構成する薄膜の厚さがランダムに選択された加飾筐体に関する。
【００３６】
図２は本発明の第２実施形態の加飾筐体断面図であり、筐体本体１の表面に設けられた加飾フィルム１１の積層構造を表している。
【００３７】
図２を参照して、本第２実施形態の加飾筐体２１は、薄膜１−１〜１−ｎの屈折率及び厚さを除き他は第１実施形態の加飾筐体２０と同一である。従って、重複を避けるために、以下、この相違点を主として説明する。
【００３８】
本第２実施形態では、積層体１を構成する薄膜１−１〜１−ｎは、ＰＥＴ樹脂、ＰＣ樹脂及びＰＭＭＡ樹脂のいずれからからなる。従って、積層体１は３つの互いに異なる屈折率を有する薄膜１−１〜１−ｎから構成される。なお、積層体１を、屈折率の異なる３以上のその他の種類の樹脂フィルムからなる薄膜１−１〜１−ｎで構成してもよい。
【００３９】
各薄膜１−１〜１−ｎの厚さは、ランダムになるように選択されている。このようなランダムな厚さの分布は、たとえば、最大厚さ１μｍ〜最小厚さ０．１μｍの範囲に分散する厚さを作成し、乱数の順に従って作成された厚さを薄膜１−１から薄膜１−ｎの順に割り振ることにより作成することができる。もちろん、各薄膜１−１〜１−ｎごとに直接ランダムな厚さを割り付けることもできる。
【００４０】
かかる積層体１は、割り振られた厚さの比が等しいｎ枚の樹脂フィルムを積層し、伸延するラミネート加工により形成することがてきる。この積層体１下面に鏡面層２を蒸着し、さらに接着層３を形成して本第２実施形態の加飾フィルム１１が製造される。
【００４１】
本第２実施形態では、互いに隣接する薄膜１−ｉ、１−ｉ＋１（ｉ＝１，２，・・・、ｎ−１）の屈折率が異なるように樹脂フィルムが選択され、かつその厚さがランダムに選択される。このため、各薄膜１−１〜１−ｎの上面で反射される反射光の強度が見る角度によりランダムに変化する。従って、第１実施形態と同様に、奥行きと深みのある色彩を呈する。
【００４２】
本第２実施形態の薄膜１−１〜１−ｎの屈折率を、第１実施形態と同様にランダムに選択することもできる。これにより、屈折率のランダム分布と膜厚のランダム分布との両者のランダム性が相まって、さらに複雑かつ意外性の高い色彩の変化をもたらし、より深みと奥行きとを感じさせる色彩を呈することができる。さらに、第１実施形態と同様に、薄膜１−１〜１−ｎに色彩を付す、薄膜１−１〜１−ｎの光透過率をランダムに分布させる、あるいは薄膜１−１〜１−ｎにフレークを混入することで、第１実施形態と同様の意匠効果をさらに加味することもできる。
【００４３】
本発明の第３実施形態は、低反射の膜からなる絵柄を有する加飾筐体に関する。
【００４４】
図３は本発明の第３実施形態の加飾筐体断面図であり、筐体本体１の表面に設けられた絵柄を含む加飾フィルム１２の積層構造を表している。
【００４５】
図３を参照して、本第３実施形態の加飾筐体２２は、積層体１を構成する各薄膜１−１〜１−ｎがランダムな厚さ及びランダムな屈折率を有し、かつ、絵柄５が積層体１内部の１層をなす薄膜１−ｉに形成されている。
【００４６】
絵柄５は、薄膜１−ｉを構成する樹脂フィルムにインクを用いた印刷、例えばシルク印刷又はグラビア印刷により、顔料を含む樹脂フィルムの領域からなる絵柄５を形成する。従って、絵柄５の外側に延在する樹脂フィルムには顔料は含まれない。なお、絵柄５は、積層体１の成形前に、シート状の樹脂フィルムの状態で印刷する。
【００４７】
この絵柄５の下面、即ち薄膜１−ｉの下に接する薄膜１−ｉ＋１と絵柄５の界面における反射光が、薄膜１−ｉの絵柄５が形成されていない領域と薄膜１−ｉ＋１の界面における反射光より弱くなるように、絵柄の顔料が選択される。かかる反射光を弱くする顔料は、樹脂フィルムの屈折率を変えるもの、あるいは単に光吸収率を大きくして反射光の強度を減衰するカーブラックの様な黒色顔料がある。また、顔料は有彩色に限られず、無彩色でもよい。かかる絵柄５からの反射光は、絵柄５の外側の反射光より弱くなる。
【００４８】
さらに、積層体１の下面（ベースフィルムとなる薄膜１−ｎの下面）に、鏡面層及び接着層３が設けられ、積層体１は筐体本体４の表面に接着層３を介して接着される。これは、第１及び第２実施形態と同様である。
【００４９】
本第３実施形態では、絵柄５の上方に屈折率及び厚さがランダムに選択された薄膜１−１〜１−ｉ−−１が積層されているため、絵柄５から反射した光が見る角度により変化し、絵柄５に奥行き感とその色彩の深みを感じさせる。さらに、絵柄５からの反射が絵柄５の外側の反射より弱いので、見る者に絵柄５が沈み込む感じを与える。従って、奥行きが感じられ、印刷の絵柄のように平面的な感じを与えることがない。
【００５０】
本発明の第４実施形態は、第３実施形態の絵柄を絵柄の平面形状（絵柄パターン）を有するフィルムで形成した加飾筐体に関する。
【００５１】
図４は本発明の第４実施形態の加飾筐体断面図であり、筐体本体の表面に設けられた絵柄を含む加飾フィルムの積層構造を表している。
【００５２】
図４を参照して、本第４実施形態の積層体１を構成する各薄膜１−１〜１−ｎは、第３実施形態と同様に、ランダムに選択された屈折率及びランダムに選択された厚さを有する。また、積層体１の下面に鏡面層２及び接着層３が設けられる。
【００５３】
本第４実施形態では、積層体１を構成する薄膜１−ｉと薄膜１−ｉ＋１との界面の一部に、絵図が描かれたフィルム状の絵柄５が埋設されている。この絵柄５を構成するフィルムは、絵柄５から反射される光量が絵柄５の外側の薄膜１−ｉと薄膜１−ｉ＋１との界面から反射される光量よりも弱くなるように、その屈折率又は光吸収率が選択されている。従って、第３実施形態と同様に、見る者に絵柄５が沈み込む感じを与える。
【００５４】
この絵柄５は、所定の屈折率を有する着色された樹脂フィルムを型抜きして形成することがてきる。また、樹脂フィルムに所定の絵柄を印刷し、絵柄に沿って型抜きして形成してもよい。積層体１は、この型抜きされた樹脂フィルムを積層された樹脂フィルムの間に挟み、第１実施形態と同様に、ラミネート成形することで製造することができる。
【００５５】
さらに、積層体１の下面に鏡面層２及び接着層３を形成し、第４実施形態の加飾フィルム１３が製造される。この加飾フィルム１３を、フィルムインサート又は真空空圧成形により筐体本体１表面に密着して設けることで、第４実施形態の加飾筐体２３が製造される。
【産業上の利用可能性】
【００５６】
本発明をノートパソコン等の電子機器の筐体の加飾に適用することで、深みと奥行きのある色調及び絵柄を有する装飾を筐体に施すことがてきる。
【符号の説明】
【００５７】
１  積層体
１−１〜１−ｎ−１  薄膜
１−ｎ  薄膜（ベースフィルム）
２  鏡面層
３  接着層
４  筐体本体
１０〜１３  加飾フィルム
１１、１１−０〜１１−４  入射光
１２  反射光
２０〜２３  加飾筐体
【図１】
2011005682.tif 000003
【図２】
2011005682.tif 000004
【図３】
2011005682.tif 000005
【図４】
2011005682.tif 000006